(57)【特許請求の範囲】
【請求項１】
継手本体の端部に、接続しようとする管の内周にはまり合う円筒部を設け、
前記管の外径にはまり合う内径を有する略円筒状の樹脂製のスリーブを前記円筒部の外周に位置させ、
前記スリーブの一端を内外径とも大径とし、もう一端を内外径とも小径とし、中央部の段違い部分の断面積を小さくし、前記スリーブを軸方向に圧縮することにより、スリーブの中央部の段違い部分で切断し、大径部が小径部の外周に乗り上げることにより小径部を縮径させることで、前記管を継手本体円筒部とスリーブとの間で挟着して接続する継手であって、前記スリーブの小径部の外周に大径部の係止機能が付加され、
前記係止機能は、前記段違い部分に向かって勾配を有するように形成された円錐部に対して逆の勾配を有するように前記小径部の外周に形成された勾配部に、大径部の内周のテーパ部が合致することにより発揮されることを特徴とするスリーブ型管継手。
【請求項２】
前記スリーブはその端部内周に凸条が設けられ、前記スリーブは前記凸条を前記継手本体の外周部に形成された溝部に係止させて継手本体に予め装着されていることを特徴とする請求項１に記載のスリーブ型管継手。
【発明の詳細な説明】
【０００１】
【発明の属する技術分野】
本発明は、樹脂管または薄肉金属管を接続するための管継手であり、詳しくは管継手の構成部品であるスリーブを管軸方向に圧入させて管を接続する継手に関するものである。
【０００２】
【従来の技術】
従来、ガス管、水道管等の流体輸送管としてポリエチレン、ポリブテン、ポリプロピレン等の樹脂管の接合方法には種々の方法があるが、この中で広く用いられている接合方法には継手本体にナットを螺合し、継手本体とナット内に装着したパッキンや食い込みリングを圧縮することで接続するメカニカル方式の管継手がある。
この継手の接続方法は、管端部外面に食い込みリングを組み付けて継手本体にナットをレンチで締め付けるものである。
【０００３】
【発明が解決しようとする課題】
上記従来のメカニカル管継手は、管の挿入が確実に行われたかどうかの管挿入確認が施工完了後に出来ないという欠点があり、さらにナットの締め付け程度についても確認が困難であり、管接続部の性能にバラツキが生じ易かった。
この場合、施工後に施工の良否を確認する手段は漏れテストだけであり、不完全な施工をした場合施工直後の短期の漏れテストで合格しても、長期間の使用時に管の抜けや、漏れを発生することがある。上記の課題を解消するために、簡単な作業で接合強度のバラツキを生ずることなく、施工後の確認も容易で、かつ比較的小型の工具で容易に配管施工が出来、長期間にわたって漏れや破壊を生じない管継手が望まれていた。
【０００４】
上記の要求に合致する新しい接続方法としてスリーブ型の管継手があるが、この管継手では施工後、配管に振動が加わる場合にはスリーブが外れる不具合が発生するため、これを防止する必要があった。
本発明の目的は上記の課題を解消して、簡単な作業で接合強度のバラツキを生ずることなく、長期間にわたって漏れや破壊を生じない管継手としてスリーブ型の新しい構造を提供するものである。
【０００５】
【課題を解決するための手段】
本発明の要旨は、上記の目的を達成するために、継手本体の端部に、接続しようとする管の内周にはまり合う円筒部を設け、前記管の外径にはまり合う内径を有する略円筒状の樹脂製のスリーブを前記円筒部の外周に位置させ、前記スリーブの一端を内外径とも大径とし、もう一端を内外径とも小径とし、中央部の段違い部分の断面積を小さくし、前記スリーブを軸方向に圧縮することにより、スリーブの中央部の段違い部分で切断（せん断）し、大径部が小径部の外周に乗り上げることにより小径部を縮径させることで、前記管を継手本体円筒部とスリーブとの間で挟着して接続する継手であって、前記スリーブの小径部の外周に大径部の係止機能が付加され、前記係止機能は、前記段違い部分に向かって勾配を有するように形成された円錐部に対して逆の勾配を有するように前記小径部の外周に形成された勾配部に、大径部の内周のテーパ部が合致することにより発揮されることを特徴とするものである。
また、本発明において、前記スリーブはその端部内周に凸条が設けられ、前記スリーブは前記凸条を前記継手本体の外周部に形成された溝部に係止させて継手本体に予め装着されていることが好ましい。
【０００６】
【作用】
本発明は上記の構成であって、スリーブは大径部と小径部を一体に成形してなり、管の接続の際、スリーブを軸方向に圧縮することにより、中央部の段違い部分にてせん断し、大径部が小径部に乗り上げることにより内周側になったスリーブの小径部を縮径させ、管を継手本体とスリーブの間で挟着して接続するものである。
また、スリーブの材質を樹脂製とし、段違い部分に向かって勾配を有するように形成された円錐部に対して逆の勾配を有するように小径部の外周に形成された勾配部に、大径部の内周のテーパ部が合致することにより小径部と大径部の係止機能が発揮されるので、管接続後スリーブの大径部がスリーブの小径部からずれて外れる不具合を防止出来るため、配管に振動が加わる場合でも、耐久性の良い接続部を得ることが出来る。
【０００７】
また、小径部の円周上に一カ所以上の切り欠け部を設けて剛性を小さくして縮径し易くしたことにより、管を接続する際、工具でスリーブを軸方向に圧縮する力を小さく出来る。従って工具は小型軽量に出来、施工が容易となる。
また、スリーブの弾性変形を利用して継手本体の溝部にスリーブの端部内周の凸条を装着する構造としたもので、構造が簡単で装着も容易であり、あらかじめ継手本体にスリーブを装着しておくことにより、管の接続作業は、継手に管を挿入し、工具を使用してスリーブを圧縮するだけで完了するため、施工現場での部品装着ミスが無く、施工ミスの可能性も少ない。
【０００８】
【発明の実施の形態】
以下本発明の実施例を図面に基づいて説明する。
図１は本発明の一実施例の管継手に接続しようとする管を挿入した状態で、リングの移動を開始する直前の状態を示す部分断面図である。
１０は管継手であり、継手本体１１と樹脂製のスリーブ２０とから構成されている。３０は接続しようとする管である。継手本体１１の端部は管３０の内径にはまり合う円筒部１２となっており、その外周面には複数の断面鋸刃状の凸条１３を設けてある。また、円筒部１２の奥に管端当接面１４を設けてある。
【０００９】
スリーブ２０は図２の外観図に示すように全体が略円筒状であり、一端には薄肉部２１と鍔部２２を設けてあり、薄肉部２１の先端内周には凸条２３を設けてある。また反対側の端部には外径大の厚肉部２４となっている。スリーブ２０の中央部分には段違い部２５を設けてあり、外径小側には円錐部２６を有する。
また、薄肉部２１の中央部分には円錐部２６の勾配とは逆の勾配部２７を設けてある。
又、厚肉部２４の内周２９は端面２４１に向かって大径となるテーパー（中空円錐）形状である。
【００１０】
スリーブ２０は端部内周に設けた凸条２３を本体１１の溝部１５に弾性変形を利用して係止させて装着するものであり、薄肉部２１から段違い部２５に向かって切り欠け部２８を設けるとともに材質は弾性変形量の大きい樹脂製とするのが望ましい。
図３はスリーブ２０を軸方向に圧縮して、管３０の接続を完了した状態を示す。スリーブ２０の鍔２２の端面２２１と厚肉部２４の端面２４１を工具を使って挟み付けることにより、スリーブ２０は段違い部２５でせん断され厚肉部２４の内周に円錐部２６が縮径されながら挿入される。それに伴って管３０が縮径され本体円筒部１２に押し付けられて挟着するものであり管３０の内面には円筒部の凸条１３の刃先が食い込む。
【００１１】
接続完了は、鍔２２が段違い部２５に突き当たるまで押し付けたことで確認するものであり、本発明の特徴は薄肉部２１の勾配部２７に厚肉部２４の内周２９のテーパー形状が合致して係止機能を発揮する点にある。これにより、管接続後に流体の圧力変動などによる振動によってスリーブ２０の厚肉部２４が薄肉部２１から外れることを防止できる。また、別の特徴はスリーブ２０の厚肉部２４に比べて薄肉部２１の剛性を小さくする点にあり、たとえば図２のようにスリーブ２０に切り欠け部２８を設けることにより、剛性を小さくし容易に縮径するようにした点である。
【００１２】
また、継手本体１１にスリーブ２０があらかじめ組み付けてある点であり、これによって管を接続する際の作業は管を継手に挿入してスリーブ２０を軸方向に圧縮するだけで良い。従って配管施工者が部品を組み付ける作業をやる必要が無いため、施工ミスの可能性も少なくなる。また、継手に対する管の挿入が確実に行われたかどうかはスリーブ２０の切り欠け部２８によって外部から目視で管端当接面１４に管３０の端部３１が突き当たっていることで確認出来るため、管の挿入不足を防ぐことが出来る。また、スリーブ２０の圧縮作業完了の確認はスリーブ２０の鍔部２２と段違い部２５が突き当たることで出来、施工後の確認も容易である。
【００１３】
図４は工具４０の全体外観図であり、手動タイプの一例を示す。スリーブ押し込み用の工具は手動タイプに限らず電動タイプあるいは油圧タイプであっても良い。
図５は本発明の別の実施例を示すものであり、スリーブ２００は薄肉側２０１の外周に溝２０２を設けてあり、厚肉部２０３の内周に設けた突起２０４が管接続時に係止するようになっている。なお段違い部２０５での切断および円錐部２０６に厚肉部２０３が乗り上げて薄肉側２０１を縮径する点は図１の例と同様である。
【００１４】
尚、スリーブの材質は比較的弾性変形の大きい樹脂製とするのが望ましく、薄肉部の切り欠けの大きさ、数はスリーブの材質の弾性係数に応じて適当な剛性になるよう設定するものである。
本発明の特徴は接続の際、工具による圧縮によってスリーブ２０が中央部でせん断し、二つの部品として機能する継手であって施工後、配管の振動などでスリーブの大径部が外れないように係止機能を付加してある点である。
【００１５】
【発明の効果】
継手本体にスリーブをあらかじめ組み付けたことにより、配管施工現場における、管の接続作業は継手に管を挿入し、工具を使ってスリーブを圧縮するだけとなり、作業が容易で施工ミスの可能性も少なくなる。
またスリーブに係止機能を付加したことにより、ゆるみによるスリーブの外れを防止出来、配管に振動が有る場合でも、長期にわたって管の抜けや漏れのない接続部を得られる。
また、スリーブの小径側の剛性を大幅に小さくしたことにより、圧縮に要する推力を小さく出来る。従って工具を小型化出来、操作力も小さく出来る。
【図面の簡単な説明】
【図１】  本発明の一実施例を示す接続直前の部分断面図である。
【図２】  図１のスリーブを示す斜視図である。
【図３】  図１の管と接続完了後の部分断面図である。
【図４】  本発明に関する工具の使用状態を示す外観図である。
【図５】  本発明の別の実施例を示す部分断面図である。
【符号の説明】
１０  管継手
１１  継手本体
１２  円筒部
２０、２００、２１０  スリーブ
３０  管
４０  工具
【図１】
0003972287.tif 000002
【図２】
0003972287.tif 000003
【図３】
0003972287.tif 000004
【図４】
0003972287.tif 000005
【図５】
0003972287.tif 000006